(57)【特許請求の範囲】
【請求項１】
携帯電話機を装着可能に構成されて前記携帯電話機を載置するための載置部を備えた携帯電話機用充電台において、前記載置部は前記携帯電話機に電源を供給するための電源端子と、前記携帯電話機を固定するためのロック機構と、前記載置部の姿勢を変化させる姿勢可変機構を備え、前記姿勢可変機構は前記載置部が前記携帯電話機を水平状態に保持する第１の姿勢と、前記載置部が前記携帯電話機を傾斜状態に保持する第２の姿勢とをとることができるよう構成され、
さらに、前記姿勢可変機構は弾性体の可動機構を備え、前記載置部に予め定められた値以上の力が加わった場合には前記載置部の傾きが略水平となり、力が加わらない場合には前記載置部の傾きが任意の傾きまで起き上がるよう構成されたことを特徴とする携帯電話機用充電台。
【請求項２】
前記弾性体の可動機構は略Ｌ字型の形状を有し、略Ｌ字型の一方の片が前記携帯電話機用充電台に係合されていることを特徴とする請求項１記載の携帯電話機用充電台。
【請求項３】
前記弾性体の可動機構は略Ｌ字型の形状を有するねじりばねであり、該ねじりばねの略Ｌ字型の一方の片が前記携帯電話機用充電台に係合されていることを特徴とする請求項２記載の携帯電話機用充電台。
【請求項４】
前記弾性体の可動機構は一端が前記携帯電話機用充電台に固着された板状部材であることを特徴とする請求項２記載の携帯電話機用充電台。
【請求項５】
前記弾性体の可動機構に滑り止め用の部材を設けたことを特徴とする請求項３記載の携帯電話機充電台。
【発明の詳細な説明】
【０００１】
【発明の属する技術分野】
本発明は、携帯電話機の背面側にも表示部が設けられている折り畳み型携帯電話機用の充電台に関し、特に充電中の表示部の視認性の改善に関する。
【０００２】
【従来の技術】
携帯電話機は二次電池により駆動されており、適宜二次電池への充電が必要である。その充電は、充電台（卓上ホルダ）に携帯電話機を装着して充電するようになっている。
【０００３】
従来の携帯電話機の充電台の例として、特開２００２−３３８１４号が挙げられる。この従来技術は、傾斜したポケットを有する充電台に折り畳み型携帯電話機を縦置きにして、携帯電話機本体の自重により携帯電話機の充電端子と充電台の充電端子を圧接することができるようにしたものである。また、水平なポケットを有する充電台に折畳み式携帯電話機を特開２００２−３３８１４号の図７の右上方から左下方に滑らせて載置することが記載されている。
【０００４】
【発明が解決しようとする課題】
最近は折り畳み形状をした折り畳み型携帯電話機が多くなりつつありさらに背面表示部を搭載したタイプが主流となるなかで、この折り畳み型携帯電話機の充電台は従来のストレート形状の携帯電話機より小型の充電台ですむため、特開２００２−３３８１４号の図７に示すように充電台は水平に置くようになっていた。しかしながら、一般に背面表示部は液晶表示器が用いられていてその寸法も小さいため、折り畳み型携帯電話機を水平に置くと表示を斜め上方から見ることになり、表示された文字が不鮮明に見えたり、表示の一部が表示器の枠で隠されたりして背面表示部の視認性が悪くなるという問題があった。また、データ端子が充電台で隠れてしまい、データのやり取りが出来ないという問題があった。さらに、斜め置きでは安定性も悪く操作性が悪いという問題もある。また、上記従来技術は、充電台に装着した状態で釦等の操作をすることについては配慮されていなかった。
【０００５】
本発明の目的は、携帯電話機の装着が容易な携帯電話機用充電台を提供することにある。
【０００６】
【課題を解決するための手段】
上記問題を解決するため、本発明は、携帯電話機を装着可能に構成されて携帯電話機を載置するための載置部を備えた携帯電話機用充電台において、載置部は携帯電話機に電源を供給するための電源端子と、携帯電話機を固定するためのロック機構と、載置部の姿勢を変化させる姿勢可変機構を備え、姿勢可変機構は載置部が携帯電話機を水平状態に保持する第１の姿勢と、載置部が前記携帯電話機を傾斜状態に保持する第２の姿勢とをとることができるよう構成され、さらに、前記姿勢可変機構は弾性体の可動機構を備え、前記載置部に予め定められた値以上の力が加わった場合には前記載置部の傾きが略水平となり、力が加わらない場合には前記載置部の傾きが任意の傾きまで起き上がるよう構成されたことを特徴とするものである。
【０００７】
好ましい実施態様においては、姿勢可変機構は弾性体の可動機構を備え、載置部に予め定められた値以上の力が加わった場合には載置部の傾きが略水平となり、力が加わらない場合には載置部の傾きが任意の傾きまで起き上がるよう構成されたことを特徴とする。
【０００８】
好ましい他の実施態様においては、弾性体の可動機構は略Ｌ字型の形状を有し、略Ｌ字型の一方の片が携帯電話機用充電台に係合されていることを特徴とする。
【０００９】
さらに好ましい他の実施態様においては、弾性体の可動機構は略Ｌ字型の形状を有するねじりばねであり、ねじりばねの略Ｌ字型の一方の片が携帯電話機用充電台に係合されていることを特徴とする。
【００１０】
【発明の実施の形態】
以下、本発明の実施の形態を図１〜図９を用いて説明する。本実施の形態においては、折り畳み型携帯電話機用はデータ用の端子を持つ携帯電話機である。
【００１１】
本発明の第１の実施の形態を図１〜図７により説明する。本実施の形態における携帯電話用充電台の構造およびこれに装着される折り畳み型携帯電話機の構造を、図１、図２（ａ）及び図２（ｂ）を使用して説明する。本実施の形態は、携帯電話機用充電台に、姿勢可変機構としてバネ性の可動部を設け、携帯電話機の充電台への装着時及び釦等の操作時には第１の姿勢をとって携帯電話機を水平状態に保持し、装着後及び操作していない時には第２の姿勢をとって携帯電話機が傾斜状態に保持する構造としたものである。ここでいう水平状態とは完全な水平でなくともよく、携帯電話機の挿入あるいは装着に差し支えない程度の角度を有していてもよい。実際には０度から１０度程度の角度範囲内であってもよい。傾斜状態は液晶表示器の視認性が良好な範囲であれば良い。実際には３０度から６０度程度の角度範囲内が視認性の面から好ましいが、安定性を配慮すると３０度から４５度程度の範囲が望ましい。図１は、本実施の形態における携帯電話用充電台に折り畳み型携帯電話機を装着した状態を示す斜視図である。１は折り畳み型携帯電話機、１１は携帯電話機のデータ用端子、３は横長タイプの背面表示部、２は充電台、４は載置部の姿勢を変化させる姿勢可変機構であるバネ性可動部、１０は載置部で充電台２の上面に設けられ、ロック機構及び電源供給用の端子が配置されている。図２（ａ）は、本実施の形態における充電台２上面の載置部１０にあるロック機構及び電源供給用の端子の例を示す。図２（ｂ）は折り畳み型携帯電話機１の裏面側にある充電端子の例を示す。図２（ａ）において、１２は折り畳み型携帯電話機１を充電台２に固定するためのロック機構、１３は折り畳み型携帯電話機１へ電源を供給するための電源供給端子、２１は充電台２の下ケース、２２は充電台２の上ケースである。充電台２は上ケース２２と下ケース２１とで構成され、上ケース２２と下ケース２１とを組み付けた時にバネ性可動部４の片方を挟み込む構造となっている。
【００１２】
一方、折り畳み型携帯電話機１は図２（ｂ）に示されるように、裏面側（充電台に装着されたときに載置部に面する側）に電源を入力する充電端子１４が設けられており、充電台に装着されたときに、充電台２の載置部１０にあるロック機構１２で固定されるとともに、折り畳み型携帯電話機１の裏面側にある充電端子１４と充電台２の上面１０にある電源供給用の端子１３とが接触し充電ができるようになっている。携帯電話機１を充電台２に水平に置く構造の充電台では携帯電話機の充電端子１４と充電台２の電源供給用端子１３との接触圧を安定に保つために、ロック機構１２により携帯電話機と充電台とをロックすることが必要である。また、このときはバネ性可動部４により、予め定められた傾きとなっているため、背面表示部３が上のほうにくるとともに前方に向くので視認性がよい。
【００１３】
また、データ用端子１１も底面から上の方にあるので、載置部に折畳み型携帯電話機を装着し載置部が任意の傾きにある時、データ用の端子が傾いている面側（ユーザの押圧により載置部が回転するときの回転軸の伸びる方向）または傾斜した載置部の上の面側となり、データ用の端子が下側の面にこないため、折畳み型携帯電話機を充電台に装着した状態でデータ用の端子を外部機器のコネクタと容易に接続できる。これにより、折畳み型携帯電話機を充電台に装着した状態で容易にデータ等の転送ができるようになる。
【００１４】
最近は、コンテンツまたはプログラム等のデータをダウンロードできる機能及びこのダウンロードしたデータを外部機器との間で転送する機能が注目を集めてきている。このデータのダウンロード中またはデータの転送時には途中で電池切れを起こすことは極力避ける必要があるため、充電台への装着時の充電中に携帯電話機を操作してデータをダウンロードまたはデータの転送ができることは重要である。
【００１５】
本実施の形態では姿勢可変機構として弾性体の可動機構を有している。具体的には、弾性体の可動機構として、ねじりばねを用いたバネ性可動部４が用いられる。バネ性可動部４の構造について図３を使用して説明する。図３は、本実施の形態におけるバネ性可動部４の構成を示す斜視図である。本実施の形態では、バネ性可動部４は略Ｌ字型の形状を有するねじりばねであり、素材として金属の線材が使用される。Ｌ字型形状の折れ曲がり部分はバネ性すなわち反発力を得るためのコイル部６であり、略Ｌ字型の一方の片が充電台２に係合して固定されるよう、外側に折り曲げられた固定部５が形成される。略Ｌ字型の他方の片はその端部同士が連結され、筒状滑り止め８が装着される。すなわち、バネ性の可動部４は傾斜状態時の足を兼ねており、この足の部分に筒状の滑り止めがコーティングされるので、携帯電話機を装着する時に、充電台が滑らずに安定すると共に装着しやすくなる。７は起き上がったときの傾きの設定角度である。
【００１６】
バネ性可動部４は、充電台２に固定部５で固定されており、また筒状滑り止め８側はフリー状態となっている。コイル部６を調整することで設定角度７を変えられると共に水平状態になる時の荷重の設定も変えられる。すなわち、起き上がったときの斜めの角度をここで任意に設定できるとともにバネ性可動部４が閉じる時の力の値を任意に設定できる。例えば、折り畳み型携帯電話機１の荷重（一般的に１００グラム前後）と充電台２の荷重（一般的に５０〜７０グラム程度）のみの時には、バネ性可動部４の設定角度７はほぼ初期の角度を保持し、さらに予め定められた値以上の力で押された時には設定角度７がほぼ０度となるように、バネ性可動部４の線材の太さ及びコイル部６の巻き数を設定する。
【００１７】
ここでは、押される力として、ユーザが折り畳み型携帯電話機１を装着するときの力（１００〜５００グラム、望ましくは１５０〜３００グラム程度）を想定している。装着時の操作性を考慮するとバネは少ない荷重で水平状態になることが望ましい。しかし、この値を低く設定すると携帯電話を装着したときに携帯電話の重量のばらつきの影響を受けやすく、傾斜状態で設定角度まで戻らなくなる恐れがある。一方、荷重を大きく設定すると傾斜状態での設定角度の問題は解消されるが、装着時に装着しづらくなるという問題が生じてくる。そのため、発明者による実験の結果によれば２００グラム前後、すなわち１５０〜３００グラムが好ましい。また、ユーザが釦等を操作する時の押す力を想定してもよい。さらに、設定角度７は視認性のよい角度となるように成型時に治具により巻き始めと巻き終わりの角度を設定するようになっている。
【００１８】
さらに、バネ性可動部４を充電台２に取り付ける構造について図４（ａ）、（ｂ）、（ｃ）を使用して説明する。図４は、本発明による充電台２の上ケース２２及び下ケース２１の構造の一実施の形態を示し、図４（ａ）は下ケース２１を内側から見た図、図４（ｂ）は上ケース２２を内側から見た図、図４（ｃ）は下ケース２１を底面側から見た図を示す。２３はバネ性可動部４の固定部５を固定するための係合部、２４はバネ性可動部４のコイル部６を固定するためのバネ押さえ部、２５はバネ性可動部４を収納するための溝部である。バネ性可動部４は固定部５が係合部２３で固定され、下ケース２１と上ケース２２を組み付けた時にコイル部６をバネ押さえ部２４で固定することにより、バネ性可動部４の片側を充電台２に固定させている。また、この時、バネ性可動部４のもう一方である滑り止め８側はフリーの状態にあり押圧により自由に角度を変えられ、折り畳み型携帯電話機１の角度を変えられる。そしてさらに強い力で押すと溝部２５に、バネ性可動部４は収納され、底面部の面より奥に引っ込む構造となっている。
【００１９】
これにより、装着時または操作時の力ではバネ性可動部４が閉じ、装着または操作していないとき及び携帯電話の重さではバネ性可動部４が開き任意の設定角度になるようにすることができる。これにより、充電台自体をバネで立ち上げるようにするため、簡単な構造で装着性、操作性及び視認性を改善することができる。また、バネ性可動部４に設けられている筒状滑り止め８により、本体装着時に滑りを抑え安定した装着ができる。すなわち、通常は第２の姿勢で装着面を任意の角度に保持し、装着時のように力が加わった時には第１の姿勢で装着面が水平になるような構造とした。これにより、装着時には水平状態で挿入しロックできるので装着性がよく、装着後はバネにより傾斜状態になるので背面等の表示部の視認性も改善される。
【００２０】
次に、折り畳み携帯電話機を装着する場合の動作について図５を使用して説明する。図５（ａ）、（ｂ）、（ｃ）は本実施の形態における携帯電話用充電台２を側面（図１のＡ方向）から見た図である。図５（ａ）は、携帯電話機装着前の充電台２を示しており、このときは、力が加わっていないため充電台２は、バネ性可動部４により任意の角度の傾きに保持されている。図５（ｂ）は、携帯電話機装着時を側面から見た図である。折畳み型携帯電話機１を充電台２に装着しようとする場合、ユーザが折畳み型携帯電話機１で充電台２の載置部を押圧することになりその力でバネ性可動部４は閉じるバネ特性の設定になっているので、バネ性可動部４は図５（ｂ）のように水平状態となる。このため、従来の充電台と同様に水平状態で折畳み型携帯電話機１を充電台２の載置部に挿入してロックできるので容易に装着することができる。なお、水平状態でないと折畳み型携帯電話機１を斜めから装着することになり充電台２が滑ってしまい装着性が悪い。図５（ｃ）は折畳み型携帯電話機１装着後にユーザが手を離した状態、すなわち押圧を解除した状態を側面から見た図である。図５（ｂ）の状態から、手を離すとバネ性可動部４の反発力により折畳み型携帯電話機１が装着された充電台２は設定された角度まで戻ることで、横長タイプの背面表示部３が上のほうにくるとともに前方に向くので視認性が向上する。なお、このバネ性可動部４の開き角度を変えることにより充電台２の傾き角度を任意に変えられる。このとき載置部の天地方向は折畳み型携帯電話機の表示部の表示の上下方向と一致するように設定される。すなわち、傾斜状態で表示部に表示された文字等が正しく読める向きとなるように設定される。
【００２１】
次に、充電台２の底面にバネ性可動部４を固定収納する構造について図６を使用して説明する。図６は、本発明によるバネ性可動部４を固定する構造の一実施の形態である充電台底面の斜視図の一部である。９はバネ性可動部４を充電台４に固定するための固定爪である。バネ性可動部４を充電台２側に押して固定爪９で引っ掛けるように固定し充電台２の底面部の面より奥に収納することができるので充電台２を常に水平状態で使用したい場合や移動する場合の利便性がよい。また、バネ性可動部４を使用して折畳み型携帯電話機１を傾ける場合は、バネ性可動部４を引き出す方向に引っ張ることにより固定爪９から容易に外すことができる機構となっている。これにより、水平状態で釦等の操作ができるため操作性がよく、さらに持ち運びまたは視認する必要のない時には折り畳んで小さくすることができる。
【００２２】
さらに、バネ性可動部４を固定爪９により収納固定した時の釦等の操作について図７を使用して説明する。図７は充電台２に折り畳み型携帯電話機１を開いた状態で装着している状態の一実施の形態を示す。７１は操作及び入力用の釦群、７２は主表示部である。ここでは、バネ性可動部４を収納しているため折り畳み型携帯電話機１は水平状態でしかも充電台２にロック固定されているので安定性がよく、表示部７２を見ながら釦群７１を操作することができ操作性が向上する。同時に、データ用端子１１も底面から上にあり、コネクタを接続して使用することができる。
【００２３】
また、ここで釦等の操作時の力でも水平状態となるようにバネ性可動部４は設定してあるため、比較的小さな力で折り畳み型携帯電話機１を抑えるだけで水平状態を保持できるので、折り畳み型携帯電話機１の充電台２の上にある本体部分の１箇所を指で軽く抑えながら他の指で釦群７１を操作することもできるので操作性がよい。
【００２４】
また、本実施の形態ではバネ性可動部４は挟み込む形で充電台２に固定されているが、バネ性可動部４を係合するための爪を充電台２の底面側に設けバネ性稼動部４を脱着可能にするようにしてもよい。
【００２５】
また、本実施の形態ではバネ性可動部４を固定収納するための固定爪９自体は動かず、バネ性可動部４を外す時は引き出す方向に引っ張る構造としたが、固定爪９を釦等により動く構造としバネ性可動部４をはずす時は釦を押すだけで外すことができるようにしてもよい。
【００２６】
本発明の第２の実施の形態を図８により説明する。本実施の形態は、図８の（ａ）、（ｂ）に示すように、充電台２の裏面の一部を開閉可能な裏蓋４０として、この裏蓋４０をバネ性可動部としての板バネ４１を用いて予め定められた角度に開くようにしたものである。本実施の形態では姿勢可変機構は裏蓋４０と、板バネ４１で構成される。板バネ４１としては通常板状の金属が用いられるが、これに限らずバネ性のある素材であればよく、例えばプラスチック品でもよい。本実施の形態では充電台２の側面に設けられた釦５０を押すことにより水平状態の第１の姿勢から傾斜状態の第２の姿勢に移行させることができる。図８（ｂ）は水平状態の第１の姿勢の状態である。この状態で釦５０を押すとバネ５２が押圧されて縮み、これにより押し釦側の係合部５１が図中の右方向に移動し、裏蓋に形成された係合部５３と充電台２側の係合部５１との係合が解除され、板バネ４１の弾性力で裏蓋４０が開き、図８（ａ）の傾斜状態となる。本実施の形態においても裏蓋４０と充電台２の載置部１０がなす角度は３０度〜４５度程度となるよう設定される。また、図８（ａ）の傾斜状態で載置部１０が予め定められた力で押圧されると係合部５３と係合部５１とが当接した状態で載置部は水平状態となり、さらに強い力で押されると係合部５３と係合部５１とが係合して図８（ｂ）の状態となり、水平状態が維持される。
【００２７】
本発明の第３の実施の形態を図９により説明する。本実施の形態は、図９の（ａ）、（ｂ）、（ｃ）に示すように、充電台２の裏面の一部を回動可能なストッパ４５として、このストッパ４５をユーザが手を用いて予め定められた角度に開くようにしたものである。充電台２の裏面にはストッパ４５を収納するための凹部４７が形成され、第１の姿勢である水平状態では図９（ｃ）に示すようにストッパ４５が凹部４７内に収納され充電台２の裏面は平らな状態になって、安定した操作をすることができる。ストッパ４５はヒンジ部４６で充電台２に回動自在に支持され、収納位置と全開位置との間で回動可能である。本実施の形態では姿勢可変機構はストッパ４５で構成される。本実施の形態ではストッパ４５を全開位置にした状態で充電台２の載置部１０がなす角度は３０度〜４５度の範囲内で予め定められた角度となるよう設定される。図９（ａ）、（ｂ）に示す第２の姿勢である傾斜状態ではストッパ４５は全開状態にされ、この状態でストッパ４５は安定した状態に保持される。この状態で携帯電話機を装着するときはユーザが手を用いてストッパ４５を収納位置に向けて回動させる。図９（ｃ）に示すように、ストッパ４５が収納位置に収納されると充電台２の裏面は平らな状態になり、水平状態として安定した状態で携帯電話機の操作をすることができる。なお、収納状態において、ストッパ４５が収納位置に保持されるよう構成してもよい。保持する手段として、自由端の先端部が凹部４７と係合する構造にしたり、ストッパ４５を磁性体の金属で構成するとともに充電台側に磁石を埋め込んで磁力で保持してもよい。本実施の形態では弾性体を用いずに済み、構造が簡略化される。
【００２８】
また、以上の実施の形態では充電台自体が傾くような構造としたが、これに限ったものではないことは言うまでもない。例えば、携帯電話機が装着されるロック機構のある面のみが傾くようにしてもよい。
【００２９】
また、以上の実施の形態では折り畳み型携帯電話機用の充電台としたが、充電される機器はこれに限ったものではないことは言うまでもない。例えば、ストレート形状をした携帯電話機、ＰＤＡ等の携帯用情報端末装置でも同じ効果は得られる。
【００３０】
また、以上の実施の形態では電源部には言及していないが、電源部は充電台内部または外部のどちらでも構わない。
以上説明したように、本実施例によれば、携帯電話機の装着が容易で、特に折畳み型携帯電話機が折畳んだ状態での装着されたときの背面表示部の視認性の向上および装着された折畳み型携帯電話機を開いて操作するとき操作性の向上を図ることができる折畳み型携帯電話機用充電台を得られる。
【００３１】
【発明の効果】
本発明によれば、携帯電話機の装着が容易な携帯電話機用充電台を得られる。
【図面の簡単な説明】
【図１】本発明の第１の実施の形態における携帯電話用充電台に折り畳み型携帯電話機が装着された状態を示す斜視図である。
【図２】本発明の第１の実施の形態における携帯電話用充電台の載置部とこれに対応する折り畳み型携帯電話機の裏面を示す図であり、同図（ａ）は携帯電話用充電台２の載置部を示す斜視図、同図（ｂ）は折り畳み型携帯電話機１の裏面を示す平面図である。
【図３】本発明の第１の実施の形態における携帯電話用充電台のバネ性可動部４を示す斜視図である。
【図４】本発明の第１の実施の形態における携帯電話用充電台のバネ性可動部４の取付け状態を示す図で、同図（ａ）は下ケース２１を内側から見た図、同図（ｂ）は上ケース２２を内側から見た図、同図（ｃ）は下ケース２１を底面側から見た図である。
【図５】本発明の第１の実施の形態における携帯電話用充電台を側面から見た図で、同図（ａ）は折畳み型携帯電話機装着前の状態を示す側面図、同図（ｂ）は折畳み型携帯電話機装着時にユーザが折畳み型携帯電話機１で充電台を押して充電台が水平になった状態を示す側面図、同図（ｃ）は折畳み型携帯電話機装着後でユーザによる充電台の押圧が解除された状態を示す側面図である。
【図６】本発明の第１の実施の形態における携帯電話用充電台のバネ性可動部を固定する構造の例を示す斜視図である。
【図７】本発明の第１の実施の形態における携帯電話用充電台に折り畳み型携帯電話機を開いた状態で装着した状態を示す斜視図である。
【図８】本発明の第２の実施の形態における携帯電話用充電台の姿勢可変機構を示す図で、同図（ａ）は傾斜状態における姿勢可変機構の側面図、同図（ｂ）は水平状態における姿勢可変機構の側面図である。
【図９】本発明の第３の実施の形態における携帯電話用充電台の姿勢可変機構を示す図で、同図（ａ）は傾斜状態における姿勢可変機構の斜視図、同図（ｂ）は傾斜状態における姿勢可変機構の側面図、同図（ｃ）は水平状態における姿勢可変機構の側面図である。
【符号の説明】
１：携帯電話機、２：充電台、３：背面表示部、４：バネ性可動部
５：固定部、６：コイル、７：設定角度、８：筒状滑り止め、９：固定爪
１０：充電台上面、１１：データ用端子、１２…ロック機構
１３…電源供給端子、１４…充電端子、２１…下ケース、２２…上ケース、
２３…係合部、２４…バネ押さえ部、２５…溝部、７１…釦群、
７２…主表示部
【図１】
0003894032.tif 000002
【図２】
0003894032.tif 000003
【図３】
0003894032.tif 000004
【図４】
0003894032.tif 000005
【図５】
0003894032.tif 000006
【図６】
0003894032.tif 000007
【図７】
0003894032.tif 000008
【図８】
0003894032.tif 000009
【図９】
0003894032.tif 000010